(57)【要約】【課題】画像伝送能力の上限での画像信号源と表示装置と間の接続が確立していないことをユーザーが認識できるようにする。【解決手段】信号源からの画像信号を受信する表示装置にて、表示装置における受信帯域幅能力及び信号源における送信帯域幅能力を取得して、信号源と表示装置との間にて画像信号を送受信できる帯域幅の上限値を取得し、また、信号源と表示装置との間で確立した画像信号を実際に送受信する際の帯域幅を取得して、信号源と表示装置との間で画像信号を送受信できる帯域幅の上限値と実際に送受信する際の帯域幅とを比較し、比較した結果を外部に報知する。【選択図】図２
2020043377.tif 000002
【特許請求の範囲】
【請求項１】
信号源からの画像信号を受信する表示装置であって、
前記表示装置における受信帯域幅能力及び前記信号源における送信帯域幅能力を取得して、前記信号源と前記表示装置との間にて画像信号を送受信できる帯域幅の上限値を取得する第１の取得手段と、
前記信号源と前記表示装置との間で確立した画像信号を送受信する際の帯域幅を取得する第２の取得手段と、
前記第１の取得手段により取得した帯域幅の上限値と前記第２の取得手段により取得した帯域幅とを比較し、比較した結果を外部に報知する報知手段とを有することを特徴とする表示装置。
【請求項２】
前記報知手段は、前記第１の取得手段により取得した帯域幅の上限値より前記第２の取得手段により取得した帯域幅が狭い場合に、外部に報知することを特徴とする請求項１記載の表示装置。
【請求項３】
前記表示装置における受信帯域幅能力を取得する第３の取得手段と、
前記信号源における送信帯域幅能力を取得する第４の取得手段とを有することを特徴とする請求項２記載の表示装置。
【請求項４】
前記第３の取得手段は、前記表示装置に格納されている情報を基に前記受信帯域幅能力を取得することを特徴とする請求項３記載の表示装置。
【請求項５】
前記第４の取得手段は、前記信号源と前記表示装置との間の接続を確立する際に前記信号源から前記表示装置に対して送信される信号を基に前記送信帯域幅能力を取得することを特徴とする請求項３又は４記載の表示装置。
【請求項６】
前記信号源と前記表示装置との間の接続を確立する際に前記信号源から前記表示装置に対して送信される情報を格納する格納手段を有し、
前記第４の取得手段は、前記格納手段に格納されている情報を基に前記送信帯域幅能力を取得することを特徴とする請求項３又は４記載の表示装置。
【請求項７】
前記第１の取得手段により取得した帯域幅の上限値より前記第２の取得手段により取得した帯域幅が狭い場合に、前記信号源と前記表示装置との間の接続を確立する動作の再実行を要求する要求手段を有することを特徴とする請求項２〜６の何れか１項に記載の表示装置。
【請求項８】
前記画像信号の伝送に使用する信号線の数及び前記信号線におけるビットレートの少なくとも一方が可変なインターフェイスで、前記信号源と接続されることを特徴とする請求項１〜７の何れか１項に記載の表示装置。
【請求項９】
前記インターフェイスは、ＤｉｓｐｌａｙＰｏｒｔ規格に準拠したインターフェイスであることを特徴とする請求項８記載の表示装置。
【請求項１０】
信号源からの画像信号を受信する表示装置の制御方法であって、
前記表示装置における受信帯域幅能力及び前記信号源における送信帯域幅能力を取得して、前記信号源と前記表示装置との間にて画像信号を送受信できる帯域幅の上限値を取得する第１の取得工程と、
前記信号源と前記表示装置との間で確立した画像信号を送受信する際の帯域幅を取得する第２の取得工程と、
前記第１の取得工程にて取得した帯域幅の上限値と前記第２の取得工程にて取得した帯域幅とを比較し、比較した結果を外部に報知する報知工程とを有することを特徴とする表示装置の制御方法。
【請求項１１】
コンピュータを、請求項１〜９の何れか１項に記載の表示装置の各手段として機能させるためのプログラム。
【発明の詳細な説明】
【技術分野】
【０００１】
本発明は、表示装置、表示装置の制御方法、及びプログラムに関する。
【背景技術】
【０００２】
ＰＣ（パーソナルコンピューター）等の画像信号源と液晶プロジェクター等の表示装置との間で画像を伝送するためのさまざまな画像伝送インターフェイス規格がある。近年、画像伝送インターフェイス規格として、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）が定めるＤｉｓｐｌａｙＰｏｒｔ（以下、「ＤＰ」とも称する）規格が普及してきている。
【０００３】
ＤＰ規格における画像伝送では、画像信号伝送用の信号線群（ＤＰ規格では「メインリンク」と呼ばれる）を構成する信号線（ＤＰ規格では「レーン」と呼ばれる）の駆動周波数（以下、「ビットレート」とも称する）は可変となっている。また、ＤＰ規格では、不使用のレーンがあってもよく、メインリンクのうちで実際に使用するレーンの数も可変となっている。
【０００４】
ＤＰ規格では、画像伝送するにあたり、レーンあたりのビットレート及び使用するレーン数を画像信号源と表示装置との間で取り決めるために、画像伝送の開始前に画像信号源と表示装置との間で接続確立処理を行う。この接続確立処理は「リンクトレーニング」と呼ばれており、リンクトレーニングを経て画像信号源と表示装置との間で接続を確立したのち、画像信号源から画像信号が出力され表示装置にて画像が表示されることになる。
【０００５】
特許文献１には、リンクトレーニングにより取り決めたレーンあたりのビットレート及びレーン数が、リンクトレーニング後の実際の画像信号の伝送に適合するか否か判定する技術が提案されている。
【先行技術文献】
【特許文献】
【０００６】
【特許文献１】特開２０１３−１６８７４０号公報
【発明の概要】
【発明が解決しようとする課題】
【０００７】
リンクトレーニングを経てレーンあたりのビットレート及びレーン数の取り決めがなされるが、必ずしも画像信号源及び表示装置の仕様性能において最も広い帯域幅となるレーンあたりのビットレート及びレーン数の組み合わせが選択されるとは限らない。例えば、画像信号源と表示装置とを接続するケーブルのコネクタ部の接触不良やケーブルのたわみによる信号品位低下（アイパターンつぶれ）等により、最も広い帯域幅となるレーンあたりのビットレート及びレーン数の組み合わせが選択されないことがある。
【０００８】
画像信号源及び表示装置が有する性能において最も広い帯域幅となるレーンあたりのビットレート及びレーン数の組み合わせが選択されずにリンクトレーニングが完了した場合、リンクトレーニング完了後の画像伝送は狭い帯域幅で行われる。このとき、画像信号源及び表示装置が広い帯域幅に対応した画像伝送能力を有しているにもかかわらず、実際の画像伝送は狭い帯域幅で行われていることを、画像信号源や表示装置を使用しているユーザーは気づくことができない。
【０００９】
本発明は、このような事情に鑑みてなされたものであり、画像伝送能力の上限での信号源と表示装置と間の接続が確立していないことをユーザーが認識できるようにすることを目的とする。
【課題を解決するための手段】
【００１０】
本発明に係る表示装置は、信号源からの画像信号を受信する表示装置であって、前記表示装置における受信帯域幅能力及び前記信号源における送信帯域幅能力を取得して、前記信号源と前記表示装置との間にて画像信号を送受信できる帯域幅の上限値を取得する第１の取得手段と、前記信号源と前記表示装置との間で確立した画像信号を送受信する際の帯域幅を取得する第２の取得手段と、前記第１の取得手段により取得した帯域幅の上限値と前記第２の取得手段により取得した帯域幅とを比較し、比較した結果を外部に報知する報知手段とを有することを特徴とする。
【発明の効果】
【００１１】
本発明によれば、表示装置における受信帯域幅能力及び信号源における送信帯域幅能力に基づく画像信号を送受信できる帯域幅の上限値と、信号源と表示装置との間で確立した画像信号を送受信する際の帯域幅とを比較して外部に報知することが可能となる。
【図面の簡単な説明】
【００１２】
【図１】本発明の実施形態における表示装置を有する画像表示システムの構成例を示す図である。
【図２】本実施形態における画像信号源及び表示装置の構成例を示す図である。
【図３】本実施形態における画像表示システムの動作を説明する図である。
【図４】本実施形態における表示装置の動作例を示すフローチャートである。
【図５】本実施形態でのユーザーインターフェイスの例を示す図である。
【図６】本実施形態における表示装置の他の動作例を示すフローチャートである。
【図７】本実施形態でのユーザーインターフェイスの他の例を示す図である。
【発明を実施するための形態】
【００１３】
以下、本発明の実施形態を図面に基づいて説明する。
図１は、本発明の一実施形態における表示装置を有する画像表示システムの構成例を示す図である。以下では、画像信号源１０１と表示装置である液晶プロジェクター１０３との間の画像伝送インターフェイスとしてＤｉｓｐｌａｙＰｏｒｔ規格に準拠したインターフェイスを適用したＤＰ規格に基づいた画像表示システムを例に説明する。しかし、本実施形態は、ＤＰ規格に基づいた画像表示システムに限られるものではなく、画像信号の伝送に使用する信号線の数や信号線の駆動周波数（ビットレート）等の画像伝送能力に係る構成が可変な規格に基づいた画像表示システムに適用可能である。
【００１４】
図１において、画像信号源１０１は、表示装置である液晶プロジェクター１０３により表示する画像の画像信号を送信する。画像信号源１０１は、例えばパーソナルコンピューター（ＰＣ）である。画像信号源１０１は、例えば、ＳＤカード（登録商標）スロットを有しており、ＳＤカードから読み出したＪＰＥＧ画像に対応する画像信号を送信する。
【００１５】
映像ケーブル１０２は、画像信号源１０１と液晶プロジェクター１０３とを接続し、画像信号源１０１から送信された画像信号を液晶プロジェクター１０３に伝送する。映像ケーブル１０２は、ＤＰ規格に対応したケーブル（以下、「ＤＰケーブル」とも称す）である。液晶プロジェクター１０３は、映像ケーブル１０２を介して画像信号を受信し、画像信号に基づく画像をスクリーン１０４に投影表示する。スクリーン１０４は、液晶プロジェクター１０３により投影される画像を表示するスクリーンである。
【００１６】
なお、本実施形態における表示装置の一例として、液晶プロジェクター１０３を示したが、ＤＰ規格に基づく信号の受信能力を有する表示装置であれば液晶プロジェクターでなくても適用可能である。
【００１７】
図２（ａ）は、本実施形態における画像信号源１０１の構成例を示すブロック図である。画像信号源１０１は、ＣＰＵ２０１、主記憶装置２０２、ビデオコントローラ２０３、ネットワークコントローラ２０４、入出力インターフェイス２０５、補助記憶装置２０６、画像送信部２０８、及び通信部２０９を有する。ＣＰＵ２０１、主記憶装置２０２、ビデオコントローラ２０３、ネットワークコントローラ２０４、入出力インターフェイス２０５、及び補助記憶装置２０６が、バス２０７を介して相互に接続される。また、画像送信部２０８及び通信部２０９は、映像ケーブル１０２を介して、表示装置である液晶プロジェクター１０３と接続可能となっている。
【００１８】
ＣＰＵ２０１は、画像信号源１０１が有する各機能部を制御する。ＣＰＵ２０１は、補助記憶装置２０６や不図示の外部のサーバに格納されたオペレーティングシステム（ＯＳ：Ｏｐｅｒａｔｉｎｇ  Ｓｙｓｔｅｍ）やアプリケーションのコードに従って処理を実行する。例えば、ＣＰＵ２０１は、これらコードに従い、ビデオコントローラ２０３を用いて、主記憶装置２０２上に画像データを形成する。アプリケーションの例としては、プレゼンテーションソフトウェアや、表計算ソフトウェアや、ビデオ再生ソフトウェア等がある。主記憶装置２０２は、ＣＰＵ２０１が動作するためのワークメモリである。
【００１９】
ネットワークコントローラ２０４は、例えば、ＣＰＵ２０１が不図示の外部のサーバやネットワーク機器に接続するためのものである。入出力インターフェイス２０５は、不図示のキーボードやマウスといった、使用者が画像信号源１０１を操作するためのデバイスを接続するインターフェイスである。補助記憶装置２０６は、ＯＳやアプリケーションやデータが格納されており、ＣＰＵ２０１により、それらが使用される。
【００２０】
ビデオコントローラ２０３は、ＣＰＵ２０１により制御され、画像データを生成する。ビデオコントローラ２０３は、画像送信部２０８及び通信部２０９と接続されている。画像送信部２０８は、ビデオコントローラ２０３で生成された画像データを受信し、外部機器（この例では液晶プロジェクター１０３）への送信に適した形式に変換して送信する。画像送信部２０８は、液晶プロジェクター１０３に対して映像ケーブル１０２のメインリンクを介して画像信号を伝送可能となっており、画像信号やテストパターンの送信を行うことができる。
【００２１】
通信部２０９は、画像信号の受信側である外部機器（この例では液晶プロジェクター１０３）との通信を行う。通信部２０９は、液晶プロジェクター１０３と映像ケーブル１０２のＡＵＸ信号線を介して通信可能となっており、液晶プロジェクター１０３のＤＰＣＤの読み書きやＥＤＩＤの読み出しを行うことができる。また、通信部２０９は、映像ケーブル１０２を介してＨＰＤ（Ｈｏｔ  Ｐｌｕｇ  Ｄｅｔｅｃｔ）信号線の電圧レベルを検知することができる。
【００２２】
このような構成により、画像信号源１０１は、適切なアプリケーションやデータを補助記憶装置２０６や不図示の外部サーバにインストールしておくことができる。したがって、画像信号源１０１は、それらアプリケーションやデータに基づき、プレゼンテーション画像や、表計算結果を示す画像や、ビデオ画像といった画像を生成して外部機器に出力することができる。
【００２３】
ここで、ＡＵＸ信号線は、ＤＰ規格において定義されている信号線であり、リンクトレーニングを実現するためのＤＰＣＤの読み書きを行ったり、Ｉ２ＣでＥＤＩＤを読み出したりするためのものである。ＤＰＣＤ（ＤｉｓｐｌａｙＰｏｒｔ  Ｃｏｎｆｉｇｕｒａｔｉｏｎ  Ｄａｔａ）は、ＤＰ規格の信号の受信機能を備える装置が内蔵しているデータ群である。ＥＤＩＤ（Ｅｘｔｅｎｄｅｄ  Ｄｉｓｐｌａｙ  Ｉｄｅｎｔｉｆｉｃａｔｉｏｎ  Ｄａｔａ）は、表示装置の表示画面の画素数やリフレッシュレート等の表示装置の特性を示すデータである。なお、Ｉ２Ｃとは、Ｉｎｔｅｒ  Ｉｎｔｅｇｒａｔｅｄ  Ｃｉｒｃｕｉｔであり、集積回路間で通信を行うための規格化されたプロトコルを指す。
【００２４】
ＤＰＣＤは、例えば、表示装置のＤＰ信号受信性能、リンクトレーニングにおけるメインリンクのテストパラメータ、リンクトレーニングを経て確定した画像信号源と表示装置との間の接続（以下、「ＤＰリンク」とも称する）の設定情報を含む。表示装置のＤＰ信号受信性能は、表示装置が受信可能なレーンあたりのビットレートの最大値（ＭＡＸ＿ＬＩＮＫ＿ＲＡＴＥ）や表示装置が受信可能なレーン数の最大値（ＭＡＸ＿ＬＡＮＥ＿ＣＯＵＮＴ）等からなる。リンクトレーニングにおけるメインリンクのテストパラメータは、メインリンクの特性診断を目的としてメインリンク上で送受信されているテストパターン信号の種類（ＴＲＡＩＮＩＮＧ＿ＰＡＴＴＥＲＮ＿ＳＥＴ）等からなる。リンクトレーニングを経て確定したＤＰリンクの設定情報は、リンクトレーニングを経て画像信号源と表示装置との間で取り決めた、レーンあたりのビットレート（ＬＩＮＫ＿ＢＷ＿ＳＥＴ）やレーン数（ＬＡＮＥ＿ＣＯＵＮＴ＿ＳＥＴ）からなる。
【００２５】
図２（ｂ）は、本実施形態における液晶プロジェクター１０３の構成例を示すブロック図である。液晶プロジェクター１０３は、画像受信部２１１、通信部２１２、画像処理部２１３、投影光学系２１４、空間変調部２１５、制御部２１６、操作部２１７、ネットワークコントローラ２１８、ＲＯＭ２１９、及びＲＡＭ２２０を有する。画像受信部２１１、通信部２１２、画像処理部２１３、投影光学系２１４、空間変調部２１５、制御部２１６、操作部２１７、ネットワークコントローラ２１８、ＲＯＭ２１９、及びＲＡＭ２２０が、バス２２１を介して相互に接続される。また、画像受信部２１１及び通信部２１２は、映像ケーブル１０２を介して画像信号源１０１と接続可能となっている。
【００２６】
画像受信部２１１は、画像信号源１０１からの信号を受信する。画像受信部２１１は、映像ケーブル１０２のメインリンクを介して、画像信号源１０１から送信された画像信号やテストパターンを受信する。画像受信部２１１は、受信した画像信号を内部処理に適した一般のデジタル信号形式に変換して画像処理部２１３に出力する。
【００２７】
通信部２１２は、画像信号源１０１等の外部機器と表示性能情報に関する通信を行う。通信部２１２は、液晶プロジェクター１０３の表示性能情報を格納するための記憶部２２２を有する。表示性能情報は、例えば、ＶＥＳＡのＥＤＩＤである。また、通信部２１２は、映像ケーブル１０２のＡＵＸ信号線を介して画像信号源１０１によるＤＰＣＤの読み書きを受け付ける機能を有する。ＤＰＣＤは記憶部２２２に格納されており、ＡＵＸ信号線を介することで画像信号源１０１から読み書き可能になっている。また、通信部２１２は、映像ケーブル１０２を介してＨＰＤ信号線の電圧レベルをハイレベル及びローレベルに制御することができる。
【００２８】
画像処理部２１３は、画像受信部２１１で受信した画像信号に画像処理を施して空間変調部２１５に出力する。画像処理部２１３での画像処理は、例えば、階調補正処理や拡大縮小処理等を含む。階調補正の例として、画像処理部２１３では、入力された画像の各画素の階調値を変換して出力するために入力階調値と出力階調値とを対応付けるルックアップテーブル（ＬＵＴ）を使用する。ＬＵＴは、工場出荷時に初期設定されるほか、制御部２１６によって更新されたり液晶プロジェクター１０３の使用者による調整操作によって変更されたりすることが可能となっており、例えばＲＡＭ２４１に格納される。
【００２９】
投影光学系２１４は、空間変調部２１５に光を照射する。投影光学系２１４は、不図示の光源、光源制御部、照明系レンズ、照明系レンズ制御部、投影系レンズ、及び投影系レンズ制御部等から構成される。空間変調部２１５は、画像処理部２１３が出力した画像信号に基づく画像を形成する。空間変調部２１５は、不図示の液晶パネル及び液晶パネル制御部等から構成される。画像処理部２１３が出力した画像に基づいて液晶パネル制御部が液晶パネル上に画像を形成し、液晶パネルに投影光学系２１４の光が照射されることで画像が投影される。
【００３０】
制御部２１６は、液晶プロジェクター１０３が有する各機能部を制御する。制御部２１６は、処理手順を記述したコードをＲＯＭ２１９からロードし、ＲＡＭ２２０をワークメモリとして使用しながら動作する。制御部２１６が処理手順を記述したコードをＲＯＭ２１９からロードして実行することにより、第１〜第４の取得手段及び報知手段の機能が実現される。また、制御部２１６は、記憶部２２２に格納されたＤＰＣＤへの書き込みを監視し、ＤＰＣＤの更新を検出する機能を有する。ＲＯＭ（Ｒｅａｄ  Ｏｎｌｙ  Ｍｅｍｏｒｙ）２１９は、制御部２１６が実行する処理手順が記述したコードを格納するメモリである。ＲＡＭ（Ｒａｎｄｏｍ  Ａｃｃｅｓｓ  Ｍｅｍｏｒｙ）２２０は、制御部２１６が処理を実行する際にワークメモリとして使用される。
【００３１】
操作部２１７は、使用者により液晶プロジェクター１０３を操作するための操作部材であり、例えば、操作釦や、不図示のリモコンの指示を受信する受光部である。操作部２１７により受け付けた操作指示の情報は、制御部２１６に伝達される。ネットワークコントローラ２１８は、例えば、制御部２１６が不図示の外部のネットワーク機器に接続するためのものである。
【００３２】
次に、本実施形態における画像表示システムにおいて、ＤＰ規格に基づいて画像信号源１０１と表示装置である液晶プロジェクター１０３とが協調して画像表示する際の処理シーケンスを、図３（ａ）を参照して説明する。図３（ａ）は、画像表示システムのユーザーが画像信号源１０１と液晶プロジェクター１０３とを映像ケーブル１０２で接続してから、液晶プロジェクター１０３が画像表示するまでを示したシーケンスの例である。
【００３３】
図３（ａ）に示す処理シーケンスの開始時の状況としては、画像表示システムにおいて、映像ケーブル１０２は、画像信号源１０１及び液晶プロジェクター１０３からそれぞれ抜去されているものとする。また、画像信号源１０１及び液晶プロジェクター１０３は、それぞれ起動済みで画像表示の準備は整っており、映像ケーブル１０２を介して相互に接続されるのを待機している状態であるとする。
【００３４】
まず、処理３０１、３０２にて、画像表示システムのユーザーが、画像信号源１０１と液晶プロジェクター１０３とを映像ケーブル１０２で接続する。映像ケーブル１０２による接続が行われると、処理３０３にて、液晶プロジェクター１０３は、表示装置である液晶プロジェクター１０３自身の存在を、映像ケーブル１０２のＨＰＤ信号線により画像信号源２００に通知する。液晶プロジェクター１０３は、ＨＰＤ信号線の電圧レベルをローレベルからハイレベルに設定することにより表示装置の存在を通知する。
【００３５】
次に、処理３０４にて、画像信号源１０１は、映像ケーブル１０２のＨＰＤ信号線の電圧レベルがローレベルからハイレベルに切り替わったことを受けて、表示装置である液晶プロジェクター１０３が存在することを検知する。すなわち、画像信号源１０１は、映像ケーブル１０２の反対側に、画像表示が可能な待機状態で液晶プロジェクター１０３が存在することを検知する。表示装置の存在を検知すると、処理３０５にて、画像信号源１０１は、映像ケーブル１０２を介してリンクトレーニングを行い、画像信号源１０１と液晶プロジェクター１０３との間の接続（ＤＰリンク）を確立する。
【００３６】
画像信号源１０１と液晶プロジェクター１０３との間のＤＰリンクが確立したのちは、ＤＰリンクの確立が維持されている限り、ループ処理３０６として示すように、液晶プロジェクター１０３で画像が表示され続ける。すなわち、処理３０７にて、画像信号源１０１は、映像ケーブル１０２に含まれるメインリンクを介して画像信号を液晶プロジェクター１０３に送信する。そして、処理３０８にて、液晶プロジェクター１０３は、映像ケーブル１０２のメインリンクを介して受信した画像信号に基づき画像をスクリーン１０４に投影する。画像信号源１０１と液晶プロジェクター１０３は、ＤＰリンクの確立が維持されている間、この処理３０７及び処理３０８を繰り返し行う。
【００３７】
ここで、レーンあたりのビットレート及び使用するレーンの数を画像信号源１０１と表示装置１０３との間で決定するリンクトレーニングについて説明する。ここでは、ＤＰ規格のバージョン１．１ａ（ＤＰ１．１ａ）を例に説明する。ＤＰ１．１ａ規格においては、レーンあたりのビットレートの選択肢として、１．６２Ｇｂｐｓ、及び２．７Ｇｂｐｓが定義されている。同様に、ＤＰ１．１ａ規格においては、レーン数の選択肢として、１レーン、２レーン、及び４レーンが定義されている。したがって、ＤＰ１．１ａ規格においては、メインリンクを介した画像伝送の帯域幅として、図３（ｂ）の表に示す組み合わせが利用可能となっている。図３（ｂ）に示す表は、例えば、レーンあたりのビットレートが２．７Ｇｂｐｓ、かつ、レーン数が２レーンである場合に、メインリンクの帯域幅が５．４Ｇｂｐｓ＝（２．７Ｇｂｐｓ／Ｌａｎｅ×２Ｌａｎｅｓ）であることを表している。
【００３８】
リンクトレーニングでは、画像信号源が、レーンあたりのビットレート及びレーン数を決定する決定権を有する。レーンあたりのビットレート及びレーン数は、画像信号源がＤＰケーブルのＡＵＸ信号線を介して表示装置のＤＰＣＤを読み書きすることによって決定される。
【００３９】
本実施形態では、リンクトレーニングの初期段階において、画像信号源１０１は、映像ケーブル１０２のＡＵＸ信号線を介してＤＰＣＤのＭＡＸ＿ＬＩＮＫ＿ＲＡＴＥ及びＭＡＸ＿ＬＡＮＥ＿ＣＯＵＮＴを読み出す。説明を簡単にするため、ここでは、ＭＡＸ＿ＬＩＮＫ＿ＲＡＴＥとＭＡＸ＿ＬＡＮＥ＿ＣＯＵＮＴとして、それぞれ１．６２Ｇｂｐｓ、４レーンを示す値を液晶プロジェクター１０３のＤＰＣＤから画像信号源１０１が読み出したとする。この場合、図３（ｂ）に示した表において、破線枠３２１で囲んだレーンあたりのビットレートとレーン数の組み合わせに対して液晶プロジェクター１０３が受信能力を有するということを画像信号源１０１が検知したことになる。
【００４０】
一方、画像信号源１０１は、自装置の送信能力は既知であるため、レーンあたりのビットレート送信能力及び送信能力を有するレーン数も既知である。説明を簡単にするため、ここでは、画像信号源１０１は、レーンあたりのビットレートとして２．７Ｇｂｐｓの送信能力を有し、レーン数として２レーンまでの送信能力を有するとする。この場合、図３（ｂ）に示した表において、破線枠３２２で囲んだレーンあたりのビットレートとレーン数の組み合わせに対して画像信号源１０１は送信能力を有することになる。
【００４１】
以上の情報に基づくと、リンクトレーニングにおいて画像信号源１０１は、画像信号源１０１と液晶プロジェクター１０３とが共通して送受信可能なレーンあたりのビットレート及びレーン数の組み合わせを取得することができる。例えば、前述した例では、破線枠３２１の範囲と破線枠３２２の範囲に共通している実線枠３２３の範囲においては、画像信号源１０１が実線枠３２３の送信能力を有していると算出できる。同様に、液晶プロジェクター１０３が実線枠３２３の受信能力を有していると算出できる。
【００４２】
実線枠３２３の範囲の組み合わせのうち、リンクトレーニング完了後の画像伝送に実際に利用する組み合わせの決定は、メインリンク上でテストパターン信号の伝送を試行する手続きを経て画像信号源１０１が行う。そして、決定されたレーンあたりのビットレート及びレーン数は、画像信号源１０１によって映像ケーブル１０２のＡＵＸ信号線を介して、液晶プロジェクター１０３のＤＰＣＤのＬＩＮＫ＿ＢＷ＿ＳＥＴ及びＬＡＮＥ＿ＣＯＵＮＴ＿ＳＥＴに書き込まれる。このようにして、リンクトレーニングによって、画像信号源１０１と液晶プロジェクター１０３との間でレーンあたりのビットレート及びレーン数を取り決めることができ、最終的にＤＰリンクを確立できる。
【００４３】
図４は、本実施形態における表示装置である液晶プロジェクター１０３の動作例を示すフローチャートである。本実施形態では、画像信号源１０１と液晶プロジェクター１０３に共通した最も広い帯域幅のレーンあたりのビットレート及びレーン数の組み合わせと、リンクトレーニングの結果として選ばれた組み合わせとが比較され、その結果がユーザーに対して報知される。具体的には、液晶プロジェクター１０３は、リンクトレーニングにより決定したレーンあたりのビットレート及びレーン数の組み合わせが、画像信号源と表示装置に共通した最も広い帯域幅となる組み合わせと異なっていることを検出して、ユーザーに報知する。
【００４４】
図４に示した処理は、図３（ａ）に示した処理３０５を終了した後、ループ処理３０６を開始する前に、液晶プロジェクター１０２の制御部２１６により実行される。すなわち、リンクトレーニングが完了しＤＰリンクが確立した直後に、液晶プロジェクター１０３の制御部２１６が実行する。
【００４５】
ステップ４０１にて、制御部２１６は、液晶プロジェクター１０３におけるＤＰ信号の受信帯域幅能力を取得する。制御部２１６は、記憶部２２２に格納されたＤＰＣＤからＭＡＸ＿ＬＩＮＫ＿ＲＡＴＥ及びＭＡＸ＿ＬＡＮＥ＿ＣＯＵＮＴを読み出す。これにより、制御部２１６は、液晶プロジェクター１０３のＤＰ信号受信能力が、図３（ｂ）に示した表において、破線枠３２１で示した範囲にあることがわかる。
【００４６】
次に、ステップＳ４０２にて、制御部２１６は、画像信号源１０１におけるＤＰ信号の送信帯域幅能力を取得する。制御部２１６は、以下のようにして画像信号源１０１のレーンあたりのビットレートの最大値及びレーン数の最大値を取得することで、画像信号源１０１のＤＰ信号送信能力を取得する。
【００４７】
リンクトレーニングの過程において、画像信号源１０１は、所定のビットレートによる画像信号の伝送が可能であるか否かメインリンクの信号品位を診断するため、メインリンク上にテストパターン信号を伝送する。このとき同時に、画像信号源１０１は、映像ケーブル１０２のＡＵＸ信号線を介して、テストパターン信号の種類（例えばビットレート）に対応する識別子をＤＰＣＤのＴＲＡＩＮＩＮＧ＿ＰＡＴＴＥＲＮ＿ＳＥＴに書き込む。
【００４８】
したがって、制御部２１６は、リンクトレーニング時にＤＰＣＤのＴＲＡＩＮＩＮＧ＿ＰＡＴＴＥＲＮ＿ＳＥＴの値を監視することによって、画像信号源１０１が試行したレーンあたりのビットレートを検知することができる。よって、制御部２１６は、画像信号源１０１がリンクトレーニング中に試行したレーンあたりのビットレートの最大値も検知することができる。
【００４９】
この最大値は、画像信号源１０１が対応したビットレートの最大値と捉えることができる。制御部２１６は、リンクトレーニング時に、検知したビットレートの最大値をＲＡＭ２２０に書き込んでおき、ステップＳ４０２の処理を実行時に、ＲＡＭ２２０から読み出すことにより、画像信号源１０１のレーンあたりのビットレートの最大値を取得できる。あるいは、ＴＲＡＩＮＩＮＧ＿ＰＡＴＴＥＲＮ＿ＳＥＴを使う代わりに、画像受信部２１１にメインリンクの差動信号の駆動周波数測定回路を組み込むことによって、リンクトレーニング中のレーンあたりのビットレートを取得するようにしてもよい。この場合、制御部２１６が画像受信部２１１から測定結果を読み出すことによってレーンあたりのビットレートを取得する。
【００５０】
また、画像信号源２００のレーン数の最大値についても同様に、制御部２１６は、リンクトレーニング中にＤＰＣＤのＬＡＮＥ０＿１＿ＳＴＡＴＵＳ及びＬＡＮＥ２＿３＿ＳＴＡＴＵＳを監視することによって取得することができる。ＬＡＮＥ０＿１＿ＳＴＡＴＵＳとＬＡＮＥ２＿３＿ＳＴＡＴＵＳは、メインリンクを構成するそれぞれのレーンに対してクロックリカバリやシンボルロック等が完了しているか否かを示すデータである。
【００５１】
したがって、制御部２１６は、これらを監視することによって、画像信号源１０１の対応したレーン数の最大値を取得することができる。あるいは、画像受信部２１１にメインリンクの差動信号の入力有無を検出する回路を組み込むことによって、リンクトレーニング中のレーン数の最大値を取得するようにしてもよい。以上のようにすることによって、制御部２１６は、画像信号源１０１のＤＰ信号送信能力が、図３（ｂ）に示した表において、破線枠３２２で示した範囲にあることがわかる。
【００５２】
ステップＳ４０３にて、制御部２１６は、画像信号源１０１と液晶プロジェクター１０３との間の送受信帯域幅の上限値である理論上の最大値（理論値）を取得する。制御部２１６は、前述したようにして、画像信号源１０１と液晶プロジェクター１０３とが共通して送受信可能なレーンあたりのビットレート及びレーン数の組み合わせを算出する。これにより、制御部２１６は、画像信号源１０１と液晶プロジェクター１０２とが共通して送受信可能なレーンあたりのビットレート及びレーン数の組み合わせが、図３（ｂ）に示した表において、実線枠３２３で示した範囲にあることがわかる。この場合、制御部２１６は、レーンあたりのビットレートが１．６２Ｇｂｐｓかつレーン数が２レーンの組み合わせ（帯域幅３．２４Ｇｂｐｓ）が、画像信号源１０１と液晶プロジェクター１０３の組での帯域幅の最大値（理論上の上限値）であると算出できる。
【００５３】
次に、ステップＳ４０４にて、制御部２１６は、リンクトレーニングによって確立された画像信号源１０１と液晶プロジェクター１０３との間の送受信帯域幅（実績値）を取得する。制御部２１６は、記憶部２２２に格納されたＤＰＣＤからＬＩＮＫ＿ＢＷ＿ＳＥＴ及びＬＡＮＥ＿ＣＯＵＮＴ＿ＳＥＴを読み出す。これにより、制御部２１６は、リンクトレーニング後の画像伝送におけるレーンあたりのビットレート及びレーン数を取得できる。以後の説明のため、この例では、レーンあたりのビットレート（ＬＩＮＫ＿ＢＷ＿ＳＥＴ）として１．６２Ｇｂｐｓ、レーン数（ＬＡＮＥ＿ＣＯＵＮＴ＿ＳＥＴ）として１レーンに相当する値を読み出したとする。
【００５４】
続いて、ステップＳ４０５にて、制御部２１６は、ステップＳ４０３において取得した帯域幅（理論値）とステップＳ４０４において取得した帯域幅（実績値）とを比較する。比較の結果、制御部２１６が、ステップＳ４０４において取得した帯域幅の方が狭いと判断した場合にはステップＳ４０６へ進み、そうでない場合にはステップＳ４０７へ進む。この例においては、ステップＳ４０３において取得した帯域幅が３．２４Ｇｂｐｓであり、ステップＳ４０４において取得した帯域幅が１．６２Ｇｂｐｓであるので、ステップＳ４０６へ進む。
【００５５】
ステップＳ４０６にて、制御部２１６は、ステップＳ４０３において取得した帯域幅（理論値）よりもステップＳ４０４において取得した帯域幅（実績値）の方が狭いことをユーザーに報知して、ステップＳ４０７へ進む。例えば、制御部２１６は、画像処理部２１３を制御して、図５に例示したようなＯＳＤ（オン・スクリーン・ディスプレイ）表示５０１をスクリーン１０４に投影表示させる。液晶プロジェクター１０３のユーザーが操作部２１７の不図示の了解ボタンを押下すると、制御部２１６は、了解ボタン５０２が押下されたことと判断して図５に示すＯＳＤ表示５０１を閉じる。また、図５に示すようにＯＳＤ表示５０１にチェックボックス５０３を追加的に設けることによって、本ＯＳＤ表示によるユーザーへの通知が何度も繰り返されることを抑制するようにしてもよい。
【００５６】
ステップＳ４０７にて、制御部２１６は、液晶プロジェクター１０３の各部を制御し、画像受信部２１１で受信した画像信号に基づき画像をスクリーン１０４に投影表示する。
【００５７】
以上のように本実施形態によれば、液晶プロジェクター１０３は、帯域幅の実績値が理論値（上限値）より狭い場合に、それをユーザーに報知することができ、帯域幅の実績値が理論値より狭いことをユーザーに認識させることが可能となる。
【００５８】
図６は、本実施形態における表示装置である液晶プロジェクター１０３の動作例を示すフローチャートである。図４に示した例では、ステップＳ４０３において取得した帯域幅（理論値）よりもステップＳ４０４において取得した帯域幅（実績値）の方が狭い場合、液晶プロジェクター１０３がその旨をユーザーに報知している。図６に示す例では、帯域幅（理論値）よりも帯域幅（実績値）の方が狭い場合、液晶プロジェクター１０３は、その旨をユーザーに報知し、所定の回数になるまでは画像信号源１０１にリンクトレーニングの再実行を要求する。
【００５９】
図６に示した処理も、図３（ａ）に示した処理３０５を終了した後、ループ処理３０６を開始する前に、液晶プロジェクター１０２の制御部２１６により実行される。すなわち、リンクトレーニングが完了しＤＰリンクが確立した直後に、液晶プロジェクター１０３の制御部２１６が実行する。
【００６０】
ステップ６０１にて、制御部２１６は、図４に示したステップＳ４０１と同様にして、液晶プロジェクター１０３におけるＤＰ信号の受信帯域幅能力を取得する。次に、ステップＳ６０２にて、制御部２１６は、図４に示したステップＳ４０２と同様にして、画像信号源１０１におけるＤＰ信号の送信帯域幅能力を取得する。続いて、ステップＳ６０３にて、制御部２１６は、図４に示したステップＳ４０３と同様にして、画像信号源１０１と液晶プロジェクター１０３との間の送受信帯域幅の上限値である理論上の最大値（理論値）を取得する。次に、ステップＳ６０４にて、制御部２１６は、図４に示したステップＳ４０４と同様にして、リンクトレーニングによって確立された画像信号源１０１と液晶プロジェクター１０３との間の送受信帯域幅（実績値）を取得する。
【００６１】
次に、ステップＳ６０５にて、制御部２１６は、ステップＳ６０３において取得した帯域幅（理論値）とステップＳ６０４において取得した帯域幅（実績値）とを比較する。比較の結果、制御部２１６が、ステップＳ６０４において取得した帯域幅の方が狭いと判断した場合にはステップＳ６０６へ進み、そうでない場合にはステップＳ６１０へ進む。
【００６２】
ステップＳ６０６にて、制御部２１６は、（再）リンクトレーニングの回数が所定回数を超えたか否かを判断する。判断の結果、制御部２１６が、再リンクトレーニングの回数が所定回数を超えたと判断した場合にはステップＳ６０９へ進み、所定回数を超えていないと判断した場合にはステップＳ６０７へ進む。ここで、リンクトレーニングの回数の計数は、例えば、液晶プロジェクター１０３に映像ケーブル１０２が接続されたことを通信部２１２が検出して「０回」にリセットする。そして、以後、リンクトレーニングの実行を通信部２１２が検出するたびにリンクトレーニングの回数をインクリメントすることにより計数する。所定回数は、例えば５回とする。しかし、必ずしも５回である必要はなく、適宜変更してもよい。
【００６３】
ステップＳ６０７にて、制御部２１６は、ステップＳ４０３において取得した帯域幅（理論値）よりもステップＳ４０４において取得した帯域幅（実績値）の方が狭いことを検知した旨をユーザーに報知する。また、制御部２１６は、画像信号源１０１にリンクトレーニングの再実行を要求する。
【００６４】
例えば、ステップＳ６０７では、まず、制御部２１６は、画像処理部２１３を制御して、図７（ａ）に例示したようなＯＳＤ表示７０１をスクリーン１０４に投影表示させる。液晶プロジェクター１０３のユーザーが操作部２１７の不図示の了解ボタンを押下すると、制御部２１６は、了解ボタン７０２が押下されたことと判断して図７（ａ）に示すＯＳＤ表示７０１を閉じる。また、図７（ａ）に示すようにＯＳＤ表示７０１にチェックボックス７０３を追加的に設けることによって、本ＯＳＤ表示によるユーザーへの通知が何度も繰り返されることを抑制するようにしてもよい。
【００６５】
続いて、制御部２１６は、通信部２１２を制御することにより、映像ケーブル１０２のＨＰＤ信号線の電圧レベルを一旦ローレベルに設定し、数ミリ秒待った後にＨＰＤ信号線の電圧レベルを再びハイレベルに設定する。このようにＨＰＤ信号線の電圧レベルを一旦ローレベルにすることにより、液晶プロジェクター１０３に対して映像ケーブル１０２が挿抜された状況を疑似的に再現し、液晶プロジェクター１０３が画像信号源１０１にリンクトレーニングの再実行を要求する。
【００６６】
ステップＳ６０７に続くステップＳ６０８にて、制御部２１６は、再実行されたリンクトレーニングの完了を待機する。制御部２１６は、リンクトレーニングの完了を検知したら、再びステップＳ６０１へ戻り、ステップＳ６０１以降の処理を実行する。
【００６７】
また、所定回数の再リンクトレーニングを実行したと制御部２１６が判断した場合に進むステップＳ６０９にて、制御部２１６は、リンクトレーニングを再実行したが帯域幅（実績値）が向上しなかった旨をユーザーに報知して、ステップＳ６１０へ進む。このとき、制御部２１６は、ユーザーへの報知により、例えば、映像ケーブル１０２の交換や挿し直しを提案する。例えば、制御部２１６は、画像処理部２１３を制御して、図７（ｂ）に例示したＯＳＤ表示７１１をスクリーン１０４に投影表示させる。液晶プロジェクター１０３のユーザーが操作部２１７の不図示の了解ボタンを押下すると、制御部２１６は、了解ボタン７１２が押下されたことと判断して図７（ｂ）に示すＯＳＤ表示７１１を閉じる。また、図７（ｂ）に示すようにＯＳＤ表示７１１にチェックボックス７１３を追加的に設けることによって、本ＯＳＤ表示によるユーザーへの通知が何度も繰り返されることを抑制するようにしてもよい。
【００６８】
ステップＳ６１０にて、制御部２１６は、液晶プロジェクター１０３の各部を制御し、画像受信部２１１で受信した画像信号に基づき画像をスクリーン１０４に投影表示する。
【００６９】
図６に示した処理を実行することで、液晶プロジェクター１０３は、帯域幅の理論値より実績値が狭いことをユーザーに報知するだけでなく、ＨＰＤ信号線を制御することによりリンクトレーニングの再実行を画像信号源１０１に自動的に要求することができる。これにより、帯域幅の実績値が理論値より狭い場合に、帯域幅の実績値が理論値より狭いことをユーザーに認識させることが可能となり、リンクトレーニングを再実行することで帯域幅を向上することができる場合がある。また、リンクトレーニングの再実行を所定回数試みても帯域幅を向上できない場合、映像ケーブル１０２の交換や挿し直しをユーザーに提案することが可能となる。
【００７０】
（本発明の他の実施形態）
本発明は、前述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００７１】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００７２】
１０１：画像信号源  １０２：映像ケーブル  １０３：液晶プロジェクター（表示装置）  １０４：スクリーン  ２１１：画像受信部  ２１２：通信部  ２１６：制御部  ２１７：操作部  ２１９：ＲＯＭ  ２２０：ＲＡＭ
【図１】
2020043377.tif 000003
【図２】
2020043377.tif 000004
【図３】
2020043377.tif 000005
【図４】
2020043377.tif 000006
【図５】
2020043377.tif 000007
【図６】
2020043377.tif 000008
【図７】
2020043377.tif 000009